(57)【要約】本発明は、画像センサと光学アセンブリとを有する撮像装置を構成するための方法を含む。この方法は、光学アセンブリの像側の面と撮像面との間に屈折光学素子を挿間することによって、撮像装置の第１の撮像構成を修正して、前記撮像装置の第２の撮像構成を実現する。別の実施形態では、この方法は、光学アセンブリの像側の面と撮像面との間から屈折光学素子を取り外すことによって、撮像装置の第１の撮像構成を修正して、前記撮像装置の第２の撮像構成を実現する。本発明は、第１の撮像構成から第２の撮像構成に切り替わるように構成された撮像装置をさらに含む。前記第１の撮像構成と前記第２の撮像構成の少なくとも一方を虹彩撮像のために構成することもできる。【選択図】  図４
2016533523.tif 000002
【特許請求の範囲】
【請求項１】
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間に屈折光学素子を挿間することを含み、挿間される前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第２の物体距離が前記第１の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
方法。
【請求項２】
前記屈折光学素子の幅及び屈折率が、前記光学アセンブリの前記像側主平面及び像側焦点面が前記変位距離だけ前記撮像面の方向に変位するように選択されている、請求項１に記載の方法。
【請求項３】
前記第１の撮像構成と前記第２の撮像構成のうち一方が虹彩撮像のために最適化されている、請求項１に記載の方法。
【請求項４】
前記第１の撮像構成が虹彩撮像のために最適化されている、請求項３に記載の方法。
【請求項５】
前記屈折光学素子が平面平行素子である、請求項３に記載の方法。
【請求項６】
前記平面平行素子が光学フィルタである、請求項５に記載の方法。
【請求項７】
前記第１の撮像構成が虹彩撮像のために最適化されているときには、前記光学フィルタが赤外透過フィルタである、請求項６に記載の方法。
【請求項８】
前記第２の撮像構成が虹彩撮像のために最適化されているときには、前記光学フィルタが赤外カットフィルタである、請求項６に記載の方法。
【請求項９】
前記光学アセンブリが固定焦点光学アセンブリである、請求項１に記載の方法。
【請求項１０】
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
請求項１に記載の方法。
【請求項１１】
前記光学アセンブリの焦点距離、及び
前記撮像面と前記光学アセンブリの像側の面との間の距離
が、前記第１の撮像構成と前記第２の撮像構成の両方で一定である、
請求項１に記載の方法。
【請求項１２】
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間から屈折光学素子を外すことを含み、挿間されていた前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第１の物体距離が前記第２の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像距離との間の距離である、
方法。
【請求項１３】
前記屈折光学素子の幅及び屈折率が、前記光学アセンブリの前記像側主平面及び像側焦点面が前記変位距離だけ前記画像センサの方向に変位するように選択されている、請求項１２に記載の方法。
【請求項１４】
前記第１の撮像構成と前記第２の撮像構成のうち一方が虹彩撮像のために最適化されている、請求項１２に記載の方法。
【請求項１５】
前記第２の撮像構成が虹彩撮像のために最適化されている、請求項１４に記載の方法。
【請求項１６】
前記屈折光学素子が平面平行素子である、請求項１４に記載の方法。
【請求項１７】
前記平面平行素子が光学フィルタである、請求項１６に記載の方法。
【請求項１８】
前記第１の撮像構成が虹彩撮像のために最適化されているときには、前記光学フィルタが赤外透過フィルタである、請求項１６に記載の方法。
【請求項１９】
前記第２の撮像構成が虹彩撮像のために最適化されているときには、前記光学フィルタが赤外カットフィルタである、請求項１６に記載の方法。
【請求項２０】
前記光学アセンブリが固定焦点光学アセンブリである、請求項１２に記載の方法。
【請求項２１】
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
請求項１２に記載の方法。
【請求項２２】
前記光学アセンブリの焦点距離、及び
前記撮像面と前記光学アセンブリの前記像側の面との間の距離
が、前記第１の撮像構成と前記第２の撮像構成の両方で一定である、
請求項１２に記載の方法。
【請求項２３】
第１の撮像構成から第２の撮像構成に切り替わるように構成された撮像装置であって、
撮像面を備える画像センサと、
像側の面と、物体側の面とを含む光学アセンブリであり、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成し、
前記第２の物体距離が前記第１の物体距離よりも大きくなるように、
前記画像センサの撮像面に物体面を像形成するように構成された光学アセンブリと、
前記第１の撮像構成から前記第２の撮像構成に切り替えるために、前記光学アセンブリの前記像側の面と前記画像センサとの間に挿入されるように構成された屈折光学素子と、
を備え、それにより、前記挿入される屈折光学素子が、
（ｉ）前記撮像面の方向へ、所定の変位距離だけ、前記光学アセンブリの像側主平面を変位させ、
（ｉｉ）前記画像センサの方向へ、前記変位距離だけ、前記光学アセンブリの像側焦点面を変位させ、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
撮像装置。
【請求項２４】
前記屈折光学素子が、前記光学アセンブリの前記像側の面と前記撮像面との間から外されて前記第１の撮像構成を実現するように構成されている、請求項２３に記載の撮像装置。
【請求項２５】
前記屈折光学素子の幅及び屈折率が、前記光学アセンブリの前記像側主平面及び像側焦点面が前記変位距離だけ前記撮像面の方向に変位するように選択されている、請求項２４に記載の撮像装置。
【請求項２６】
前記第１の撮像構成と前記第２の撮像構成のうち一方が虹彩撮像のために最適化されている、請求項２４に記載の撮像装置。
【請求項２７】
前記第１の撮像構成が虹彩撮像のために最適化されている、請求項２６に記載の撮像装置。
【請求項２８】
前記屈折光学素子が平面平行素子である、請求項２６に記載の撮像装置。
【請求項２９】
前記平面平行素子が光学フィルタである、請求項２８に記載の方法。
【請求項３０】
前記第１の撮像構成が虹彩撮像のために最適化されているとき、前記光学フィルタが赤外透過フィルタである、請求項２９に記載の方法。
【請求項３１】
前記第２の撮像構成が虹彩撮像のために最適化されているとき、前記光学フィルタが赤外カットフィルタである、請求項２９に記載の方法。
【請求項３２】
前記光学アセンブリが固定焦点光学アセンブリである、請求項２３に記載の撮像装置。
【請求項３３】
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
請求項２３に記載の撮像装置。
【請求項３４】
前記光学アセンブリの焦点距離、及び
前記撮像面と前記光学アセンブリの前記像側の面との間の距離
が、前記第１の撮像構成と前記第２の撮像構成の両方で一定である、
請求項２３に記載の撮像装置。
【発明の詳細な説明】
【発明の分野】
【０００１】
本発明は、生体認証に関する対象者の眼の１つ又は複数の造形の画像を取得することを可能にする撮像装置及び方法に関する。本発明は、特に、虹彩画像捕捉及び虹彩認識のために撮像装置を最適化するように動作可能である。
【背景】
【０００２】
眼の造形を含めた顔の造形に基づく生体認証のための方法が知られている。虹彩認識用の方法は、獲得された対象者の虹彩の画像を、以前に獲得された対象者の虹彩の画像と比較し、それにより対象者の同一性を決定又は検証するために、パターン認識技法を実施する。獲得された虹彩画像に対応するデジタルテンプレートは、数学的／統計的アルゴリズムを使用して、画像に基づいて符号化される。一致を探し出し、それにより対象者の同一性を決定又は検証するために、デジタルテンプレートは、（以前に獲得された虹彩画像に対応する）以前に符号化されたデジタルテンプレートのデータベースと比較される。
【０００３】
虹彩認識用の装置は、対象者の虹彩の画像を捕捉するための撮像装置と、捕捉された画像を、以前に記憶された虹彩画像情報と比較するための画像処理装置とを備えることができる。撮像装置と画像処理装置は、別々のデバイスから成ることができ、又は単一のデバイスに組み合わされることもある。
【０００４】
虹彩認識装置は、専用デバイス又は独立型デバイスとして従来より利用可能であるが、例えば、携帯電話、スマートフォン、携帯情報端末、タブレット、又はラップトップデバイス等、内蔵カメラを有するモバイル通信デバイス又はモバイル計算デバイス（総称して「モバイルデバイス」と呼ぶ）に虹彩認識機能を組み込むことがますます望まれている。
【０００５】
しかし、モバイルデバイス内部のカメラは、モバイルデバイスから様々な距離に位置された物体の画像を捕捉することが可能である汎用カメラとして機能するように意図されていることが分かっている。生体認識の目的で虹彩画像を獲得するための考慮事項は、虹彩画像以外の画像の捕捉に適用できる考慮事項とは大きく異なる。具体的には、虹彩撮像は、特に、撮像装置によって獲得される虹彩画像が物体面内で最小画素解像度を満たすように、規定の画像捕捉領域内に対象者の虹彩を位置決めすることを必要とする。虹彩のサイズと、モバイルデバイスで典型的に使用される画像センサの画素サイズとを仮定して、適切な虹彩直径を有する虹彩画像を像面に捕捉するようにカメラを構成することは、特定の物体距離（即ち対象者の虹彩が位置決めされるのに必要な距離）を必要とする。モバイルデバイスに内蔵されたカメラをこのように構成することは、適当な鮮鋭度及びディテールを有する画像を取得するために物体をカメラの非常に近くに配置することを必要とすることにより、カメラを多用途での使用（例えば、一般的な写真撮影機能を保ちながら虹彩撮像にも使用する）には適さないものにすることがある。
【０００６】
カメラの物体面を変えるための従来技術の解決策は、典型的には、ズームレンズタイプの構成を含み、レンズアセンブリは、レンズアセンブリの焦点距離及び倍率を変えるためにレンズアセンブリの本体に沿って軸方向に摺動することができる幾つかの個別のレンズを備える。しかし、ズームレンズは高価であり、且つ嵩張り、その両方が、モバイルデバイスに内蔵されるカメラの使用に関する重大な阻害要因となる。
【０００７】
固定焦点カメラを２つの用途に使用することにより生じる別の問題は、虹彩画像捕捉が、典型的には赤外（ＩＲ）波長に依拠し、虹彩画像でない画像の捕捉は、通常は、ＩＲカットフィルタ（可視波長がレンズアセンブリを通過して画像センサに達するようにしながら、ＩＲ波長を反射又は吸収するフィルタ）を使用することによってＩＲ波長を除去することを試みることである。
【０００８】
したがって、本発明の目的は、モバイルデバイスに内蔵される虹彩撮像装置又はカメラを、虹彩撮像用に最適化することができるように構成するための効率的で費用対効果の高いメカニズムを提供することである。
【概要】
【０００９】
本発明は、画像センサと、光学アセンブリとを有する撮像装置を構成するための方法であって、前記光学アセンブリが、像側の面と、物体側の面とを含み、前記画像センサの撮像面に物体面を像形成するように構成されている、方法を含む。この方法は、撮像装置の第１の撮像構成を修正して、前記撮像装置の第２の撮像構成を実現し、ここで、第１の撮像構成の修正は、光学アセンブリの像側の面と撮像面との間に屈折光学素子を挿間することを含む。
【００１０】
代替として、この方法は、撮像装置の第１の撮像構成を修正して、前記撮像装置の第２の撮像構成を実現し、ここで、第１の撮像構成の修正は、光学アセンブリの像側の面と撮像面との間から屈折光学素子を取り外すことを含む。
【００１１】
別の実施形態では、本発明は、第１の撮像構成から第２の撮像構成に切り替わるように構成された撮像装置を備える。装置は、撮像面を有する画像センサと、像側の面及び物体側の面を含む光学アセンブリと、屈折光学素子とを備える。第１の撮像構成で、光学アセンブリが、光学アセンブリの物体側の面から離れた第１の物体距離に位置された第１の物体面に位置決めされた物体の合焦像を撮像面に像形成し、第２の撮像構成で、光学アセンブリが、光学アセンブリの物体側の面から離れた第２の物体距離に位置された第２の物体面に位置決めされた物体の合焦像を撮像面に像形成し、装置内の屈折光学素子は、第１の撮像構成から前記第２の撮像構成に切り替えるために、光学アセンブリの像側の面と画像センサとの間に挿入されるように構成することができる。
【００１２】
方法又は装置実施形態における屈折光学素子は、（ｉ）撮像面の方向へ、ある変位距離だけ、光学アセンブリの像側主平面を変位させ、（ｉｉ）撮像面の方向へ、ある変位距離だけ、光学アセンブリの像側焦点面を変位させるように構成することができる。第１の撮像構成で、光学アセンブリは、光学アセンブリの物体側の面から離れた第１の物体距離に位置された第１の物体面に位置決めされた物体の合焦像を撮像面に像形成することもできる。第２の撮像構成で、光学アセンブリは、光学アセンブリの物体側の面から離れた第２の物体距離に位置された第２の物体面に位置決めされた物体の合焦像を撮像面に像形成することもでき、したがって第２の物体距離は第１の物体距離よりも大きい。本発明の目的では、変位距離は、光学アセンブリが第１の物体面に位置決めされた物体の合焦像を像形成する第１の像面と、光学アセンブリが第２の物体面に位置決めされた物体の合焦像を像形成する第２の像面との間の距離である。
【００１３】
本発明の一実施形態では、屈折光学素子の幅及び屈折率は、光学アセンブリの像側主平面が変位距離だけ撮像面の方向に変位するように選択することもできる。
【００１４】
本発明の第１の撮像構成と第２の撮像構成の一方を虹彩撮像のために最適化することもできる。一実施形態では、第１の撮像構成は、虹彩撮像のために最適化されている。
【００１５】
屈折光学素子は、一実施形態では平面平行素子でよい。平面平行素子は、光学フィルタを含むこともできる。第１の撮像構成が虹彩撮像のために最適化された一実施形態では、光学フィルタは、赤外透過フィルタでよい。第２の撮像構成が虹彩撮像のために最適化されているときには、光学フィルタは、赤外カットフィルタでよい。
【００１６】
撮像装置の光学アセンブリは、固定焦点光学アセンブリでよい。本発明の一実施形態では、光学アセンブリの焦点距離、及び撮像面と光学アセンブリの像側の面との間の距離の少なくとも一方又は両方を一定に保つこともできる。
【００１７】
他の光学素子が、挿間された素子と撮像面との間に位置決めされてもよい。これらの他の光学素子は、限定はしないが、画像センサの部品、例えば、平面平行カバーガラス、カラーマスク、他の光学フィルタ、マイクロレンズ、従来のレンズ素子などを含むこともできる。
【図面の簡単な説明】
【００１８】
【図１】図１は、虹彩画像ベースの認識用に構成されたモバイルデバイスの機能ブロック図である。
【００１９】
【図２】図２は、撮像装置の一実施形態を示す図である。
【００２０】
【図３】図３は、虹彩撮像装置の主要な平面を示す図である。
【００２１】
【図４】図４は、撮像装置内で、光学レンズアセンブリと画像センサとの間に屈折光学素子を追加する効果を示す図である。
【図５】図５は、撮像装置内で、光学レンズアセンブリと画像センサとの間に屈折光学素子を追加する効果を示す図である。
【図６】図６は、撮像装置内で、光学レンズアセンブリと画像センサとの間に屈折光学素子を追加する効果を示す図である。
【詳細な説明】
【００２２】
図１は、虹彩画像ベースの認識用に構成されたモバイルデバイス１００の機能ブロック図であり、モバイルデバイス１００は、撮像装置１０２と、画像処理装置１０４とを備える。撮像装置１０２は、対象者の虹彩の画像を獲得し、その画像を画像処理装置１０４に送信する。撮像装置１０２によって捕捉される画像は、静止画像又はビデオ画像でよい。その後、画像処理装置１０４は、対象者を認証するため又は対象者の同一性を検証するために、獲得された（１つ又は複数の）画像フレームを解析し、対応するデジタルフィーチャセットを、前に獲得された虹彩画像に基づいて符号化されて記憶されているデジタルテンプレートと比較する。
【００２３】
図１には示されていないが、モバイルデバイス１００は、他の構成要素を含むこともでき、そのような構成要素は、例えば、ビデオ画像から静止フレームを抽出するための構成要素、画像データを処理してデジタル化するための構成要素、虹彩画像の登録（対象者に関する虹彩情報を捕捉して記憶し、記憶された情報をその対象者に関連付けるプロセス）及び比較（対象者の同一性の認証又は検証のために、対象者から獲得された虹彩情報を、以前に登録中に獲得された情報と比較するプロセス）のための構成要素、及びモバイルデバイスの構成要素間の通信を可能にするための構成要素を含む。撮像装置、画像処理装置、及びモバイルデバイスの他の構成要素は、それぞれ別々のデバイスから成ってもよいし、又は単一のモバイルデバイスに組み合わされてもよい。
【００２４】
図２は、撮像装置１０２の例示的実施形態を示し、撮像装置１０２は、ハウジング２０２と、画像センサ２０４と、光学アセンブリ２０６とを有し、画像センサ２０４及び光学アセンブリ２０６は、ハウジング２０６内部に配設される。
【００２５】
撮像装置１０２は、従来のソリッドステートスチールカメラ又はビデオカメラを備えることができ、画像センサ２０４は、電荷結合素子（ＣＣＤ）又は相補型金属酸化膜半導体（ＣＭＯＳ）デバイスを備えることもできる。画像センサ２０４は、少なくとも４００ナノメートル〜１０００ナノメートルの範囲内の波長を有する光に感受性を有するように選択することもできる。光学アセンブリ２０６は、一体形成された要素、若しくは単体として形成された単一の要素でよく、又は望ましい画像生成特性を実現するように選択及び構成された光学素子のアセンブリから成ることもある。図示される撮像装置は、固定焦点を有し、モバイルデバイス内部に従来配設されているタイプのものである。
【００２６】
図２での図示は、一般的な写真撮影向けの固定焦点カメラを、虹彩撮像を可能にする構成に適合させる、又はその逆に適合させる際に直面する問題を例示する。図２に示されるように、光学アセンブリ２０６と画像センサ２０４は、対象者の眼Ｅが物体面ＯＰ１に位置決めされたときに眼の合焦像Ｅ’が像面ＩＰ１に形成されるように互いに対して構成及び配設されることもでき、その像面ＩＰ１は、画像センサ２０４の撮像面と一致する。他方、図示される撮像装置の固定焦点構成を仮定して、物体Ｏが物体面ＯＰ２（物体面ＯＰ２は、物体面ＯＰ１に比べて撮像装置からさらに離れた位置にある）に位置決めされるとき、物体の像Ｏ’は像面ＩＰ２に形成され、この像面ＩＰ２は、画像センサ２０４の撮像面とは一致しない。それにより、画像センサ２０４によって焦点が外れた画像が獲得される。したがって、物体面の変位が像面の変位を引き起こし、この変位は、固定焦点光学アセンブリでは補償することができない。
【００２７】
上記のことに基づいて、適切な虹彩直径を有する虹彩画像を像面で捕捉するようにカメラを構成することは、特定の物体距離（即ち対象者の虹彩が位置決めされるのに必要な距離）を必要とすることが明らかである。モバイルデバイスに内蔵されたカメラをこのように構成することは、適当な鮮鋭度及びディテールを有する画像を取得するために物体をカメラの非常に近くに配置することを必要とする構成により、カメラを他の用途には適さないものにすることもできる。
【００２８】
本発明は、光学アセンブリの焦点距離の変更を必要とせずに、撮像装置を虹彩撮像にも一般的な写真撮影にも最適化するための装置及び方法を提供する。
【００２９】
一般的な写真撮影用に構成された固定焦点撮像装置（モバイルデバイス内部に提供される種類のものなど）が、虹彩画像認識処理に十分な解像度の虹彩画像の捕捉を可能にされることを保証するために、対象者の虹彩は、一般的な写真撮影で通常は許容範囲内と考えられる物体面よりも撮像装置の光学アセンブリに近い物体面に位置決めされる必要がある。図２に関連して上述したように、固定焦点カメラに関して、物体面の位置の変更は、得られる像面の位置に対する対応する影響を有し、したがって、像面が画像センサの撮像面ともはや一致しなくなることもできる。これは、焦点が外れた画像の獲得をもたらす。これは、一般的な写真撮影モードと虹彩画像獲得モードとを切り替えられるようにカメラを構成することを試みるときに問題を生じる。なぜなら、これら２つのモードに関する意図される物体面の位置は、撮像装置の光学アセンブリからの距離がかなり異なるからである。例えば、モバイルデバイス内部に配設される固定焦点撮像装置に関して、虹彩撮像用に撮像装置を構成することは、虹彩を、光学アセンブリの物体側の面から２５０ｍｍ以内まで移動させることを必要とすることが分かっている。対照的に、光学アセンブリの物体側の面の２５０ｍｍ以内に物体を位置決めする必要性は、一般的な写真撮影には全く実用的でない。
【００３０】
本発明による撮像装置に関する構成を説明するために、図３は、虹彩撮像装置の様々な主要な平面を示す。図３の例示は、物体面ＯＰに位置決めされた物体３０４に関して合焦像３０５が像面ＩＰに生成されるように、物体面ＯＰと像面ＩＰとの間に挿入された光学アセンブリ３０１を備える。
【００３１】
光学アセンブリ３０１は、像面ＩＰが撮像装置内部の画像センサの撮像面と一致するように構成及び位置決めすることもできる。例示的実施形態では、光学アセンブリ３０１は、物体側の面３０２と、像側の面３０３とを備える。光学アセンブリ３０１の主要な平面は、物体側焦点面３０６と、物体側主平面３０７と、像側焦点面３０８と、像側主平面３０９とを含む。
【００３２】
本発明の目的で、近軸近似に従って、用語「焦点面」は、レンズアセンブリの光軸に平行な入射光線が１点に集束する平面を表すことを理解されたい。用語「主平面」は、レンズアセンブリの光軸に平行な各入射光線が、レンズアセンブリから出た対応する光線と交差する平面を表す。
【００３３】
焦点距離Ｆを有するレンズアセンブリに関して、物体距離Ｓ（レンズアセンブリの物体側焦点面と物体面との間の距離）と像距離Ｓ’（レンズアセンブリの像側焦点面と像面／画像センサとの間の距離）には、以下のような関係がある。
【数１】
2016533523.tif 000003
【００３４】
したがって、固定焦点距離を有するレンズアセンブリを有する撮像装置に関して、虹彩画像処理に十分なディテールの虹彩画像捕捉を実現するために物体距離Ｓを減少させることは、画像センサで生成される画像が鮮鋭であり焦点が合っていることを保証するために像距離Ｓ’の対応する増加を必要とする。
【００３５】
モバイルデバイス撮像装置内の光学レンズアセンブリが通常は画像センサに対して可動でないことに鑑みて、本発明は、（ｉ）レンズアセンブリの焦点距離、及び（ｉｉ）レンズアセンブリの最後方の面と画像センサとの間の物理的距離のいずれも変えずに、像距離を変えることによって物体距離の変化に応答するためのメカニズムを提供する。
【００３６】
本発明の一実施形態では、本発明は、レンズアセンブリの後方焦点面と画像センサとの間で屈折光学素子を選択的に挿間する又は取り外すことによって、物体距離の変化に応答する。屈折光学素子は、所与の物体距離Ｓ０（この物体距離で、物体の合焦像は通常は像距離Ｓ’０に生成される）に関して、屈折光学素子は、レンズアセンブリの像側主平面と像側焦点面を画像センサに向けて後方に変位させ、それにより、実効像距離をＳ’１に増加する。以下により詳細に説明するように、実効像距離を増加させることによって、本発明は、物体の合焦像が画像センサに生成され続けるように実効像距離を増加させることによって（固定焦点レンズアセンブリから離れる画像センサの対応する変位を必要とせずに）物体距離の減少を補償する。
【００３７】
図４は、直前の段落で述べた原理を示す。
【００３８】
図４は、レンズアセンブリと画像センサとの間に屈折光学素子（平面平行光学素子など）を追加する効果を示す。図４での屈折光学素子は、平面平行屈折素子４０１である。撮像装置の実際の構成要素、及び光学レンズアセンブリを通る光線軌跡は、図４には示されていない。
【００３９】
図４において、まず、平面平行屈折素子４０１が光学レンズアセンブリと像面４０８との間に挿入されていない状況を考えると、光軸ｏに平行な光線ａが、レンズアセンブリに入り、光線ｂとしてレンズアセンブリから出る。光線ａと光線ｂの交点は、像側主平面４０２を定義する点Ａである。出力光線ｂの実効経路は、ＡＢであり、したがって、点Ｂは、出射光線ｂと光軸ｏとの交点に位置し、像側焦点面４０３を定義する。
【００４０】
平面平行素子４０１が系に挿間されるとき、光軸ｏに平行な光線ａがレンズアセンブリに入り、レンズアセンブリから出て、経路ＡＣに沿って進み、平面平行素子４０１の物体側の面４０４上の点Ｃで屈折し、平面平行素子４０１内部で経路ＣＤに沿って進み、次いで平面平行素子４０１の像側の面４０５上の点Ｄで屈折し、経路ＤＥに沿って進む光線ｃとして出る。
【００４１】
経路ＤＥと入射光線ａとの交点が、新たな像側主平面４０６を定義し、経路ＤＥと光軸ｏとの交点が、平面平行素子４０１を含む光学系の新たな像側焦点面４０７を定義する。
【００４２】
図４に示されるように、角度α’とβが等しく、それに対応して角度αとβ’も等しいので、出射光線ｃは光線ｂに平行である。光学系の焦点距離ｆは、以下のように表される：
ｆ＝Ｓ４０２−４０３＝Ｓ４０６−４０７
【００４３】
図４の例示から理解されるように、平面平行素子があってもなくても光学系の焦点距離は変わらない。しかし、平面平行素子の挿間は、光学系の像側主平面（４０２−４０６）と像側焦点面（４０３−４０７）の（像面／画像センサの方向への）後方変位をもたらす。前記２つの主要な後方平面の後方変位は、固定オフセットの程度であり、このオフセットは、平面平行素子の厚さ及び屈折率の関数である。
【００４４】
図４の系に以下のような近軸近似を適用する。
ｔａｎ（α）ｓｉｎ＝（α）＝α      （１）、及び
α’＝α／ｎ      （２）
ここで、αは、レンズアセンブリ４０２から出る光線と光軸ｏとが成す角度であり、α’は、挿間された平面平行素子４０１から出た光線と光軸ｏとが成す角度であり、ｎは、挿間された平面平行素子材料４０１の屈折率である。
【００４５】
２つの主要な後方平面Ｓ４０２−４０６及びＳ４０３−４０７の変位距離は、以下の式によって導出することもできる。
【数２】
2016533523.tif 000004
ここで、ｄは、挿間された平面平行光学素子４０１の厚さである。
【００４６】
図４から明らかなように、系の物体側主平面と物体側焦点面は、平面平行素子が系内に挿間されているかどうかに関係なく変化しない。
【００４７】
図５及び図６は、光学アセンブリの像側焦点面と画像センサとの間の屈折光学素子（平面平行素子など）の挿入を使用して、物体の所望の倍率を実現しながら、物体位置／物体面の変化を補償することができることを示す。
【００４８】
図５は、平面平行屈折素子を有さない光学系の効果を示し、図６は、平面平行素子が挿間された光学系の効果を示す。図６が、光学系内の実際の平面平行素子を特には示していないことを理解されたい。
【００４９】
図５（平面平行素子を有さない光学系を示す）において：
・Ｆ０＝物体側焦点面、
・Ｆ’０＝像側焦点面、
・Ｐ０＝物体側主平面、
・Ｐ’０＝像側主平面、
・Ｈ０＝物体の高さ、
・Ｈ’０＝像の高さ、
・Ｓ０＝物体距離（物体側主平面Ｐ０と物体との間の距離）、及び
・Ｓ’０＝像距離（像側主平面Ｐ’０と画像センサに生成された像との間の距離）
である。
【００５０】
同様に、図６（平面平行素子が配設された光学系を示す）において：
・Ｆ１＝物体側焦点面、
・Ｆ’１＝像側焦点面、
・Ｐ１＝物体側主平面、
・Ｐ’１＝像側主平面、
・Ｈ１＝物体の高さ、
・Ｈ’１＝像の高さ、
・Ｓ１＝物体距離（物体側主平面Ｐ０と物体との間の距離）、及び
・Ｓ’１＝像距離（像側主平面Ｐ’０と画像センサに生成された像との間の距離）
である。
【００５１】
図５と図６の比較、図３に関連する上の開示に基づいて、
Ｓ’０＝Ｓ’１＋変位距離（即ち図４からのＳ４０２−４０６）
となる。
【００５２】
レンズの式を適用すると、
【数３】
2016533523.tif 000005
即ち、
Ｓ０＜Ｓ１
である。
【００５３】
図４〜図６及び上記の説明に基づいて、撮像装置から屈折光学素子（平面平行素子など）を省く又は取り外すことは、レンズアセンブリの焦点距離及び像面（レンズアセンブリに対する画像センサの位置）を変えないままにしながら像距離を減少させることを理解することができる。
【００５４】
図６に関連して説明したように、撮像装置内に屈折光学素子（平面平行素子など）を挿間することは、レンズアセンブリの焦点距離及び像面（画像センサの位置）を変えることなく、より長い物体距離（対応してより大きな直線視野）での画像捕捉を可能にする。
【００５５】
一実施形態では、撮像装置は、撮像装置から屈折光学素子／平面平行素子を取り外すことによって、虹彩撮像に必要なより短い物体距離で、虹彩画像捕捉用に構成することもできる。撮像装置は、画像センサの前に屈折光学素子を挿間し、それにより光学系の後方主平面と後方焦点面の望ましい後方距離変位を実現し、レンズアセンブリ及び画像センサの位置を変えずに実効像距離を減少させることによって、より長い物体距離で、虹彩画像捕捉以外の画像捕捉用に構成することもできる。
【００５６】
図５及び図６に示される本発明の実施形態では、物体距離と倍率の所望の変更は、平面平行素子を選択的に追加する又は取り外すことによって実現される。別の実施形態では、物体距離及び倍率の所望の変更は、第１の屈折光学素子／平面平行素子を、異なる厚さ、異なる屈折率、又はその両方を有する異なる屈折光学素子／平面平行素子で置き換えることによって実現することもできる。
【００５７】
他の光学素子が、挿間された屈折素子／平面平行と撮像面との間に位置決めされても良いことを理解されたい。これらの他の光学素子は、限定はしないが、画像センサの部品、例えば、平面平行カバーガラス、カラーマスク、他の光学フィルタ、マイクロレンズ、従来のレンズ素子などを含むこともできる。
【００５８】
光学アセンブリの像側の面と撮像面との間への屈折素子／平面平行素子の挿入は、前記屈折素子／平面平行素子を手動で挿入する又は取り外すことによって実現することもできる。別の実施形態では、本発明は、屈折素子／平面平行素子を収容するように構成され、少なくとも第１及び第２の位置を有する１つ又は複数のホルダを含むこともできる。第１の位置では、屈折素子／平面平行素子は、撮像面と光学レンズアセンブリとの間に挿間されることもでき、それにより、第１の物体面に位置決めされた物体を撮像面に像形成する。第２の位置では、屈折素子／平面平行素子は、撮像面と光学レンズアセンブリとの間から取り外されることもでき、それにより、第２の物体面に位置決めされた物体を撮像面に像形成する。代替として、１つ又は複数のホルダは、厚さ、屈折率、又はその両方が異なる少なくとも２つの屈折素子／平面平行素子を保持するように構成されることもでき、撮像面と光学レンズアセンブリとの間に少なくとも２つの屈折素子／平面平行素子の１つを交換可能に位置決めするように構成されることもできる。屈折素子／平面平行素子は、撮像面と光学レンズアセンブリとの間への第１の屈折素子／平面平行素子の挿入が、撮像面への第１の物体面の合焦撮像をもたらし、撮像面と光学レンズアセンブリとの間への第２の屈折素子／平面平行素子の挿入が、撮像面への第２の物体面の合焦撮像をもたらすように構成及び位置決めすることもできる。
【００５９】
平面平行素子の着脱可能な位置決めのためのホルダは、画像センサと光学レンズアセンブリとの間での屈折素子／平面平行素子の位置決め及び取外しを可能にする任意の機械的又は電気機械的構成を有することもできる。例示的な構成は、回転ホルダ、枢動アーム、摺動窓構成、及び、画像センサの前で屈折素子／平面平行素子を追加する又は取り外すことが可能な、又は画像センサの前で１つの屈折素子／平面平行素子を別の屈折素子／平面平行素子で置き換えることが可能な任意の他の構成を含む。
【００６０】
着脱可能な屈折素子／平面平行素子を適切に構成することによって、光学アセンブリは、画像センサの前への屈折素子／平面平行素子の挿入に対応する第１の組の画像捕捉特性と、画像センサの前への屈折素子／平面平行素子の取外しに対応する第２の組の画像捕捉特性とを有するように構成することができる。
【００６１】
像側焦点面及び像側主平面を修正することに加えて、屈折素子／平面平行素子はまた、赤外カットフィルタ（虹彩撮像以外のモード用）又は赤外透過フィルタ（虹彩撮像モード用）を含めて光学フィルタとして働くように選択することもできる。
【００６２】
本発明の例示的な実施形態を本明細書で説明して図示してきたが、それらが例示にすぎないことを理解されたい。添付の特許請求の範囲によって定義される本発明の精神及び範囲から逸脱することなく、又はそれに反することなく、形態及び詳細の様々な修正を行うこともできることを当業者は理解されよう。
【図１】
2016533523.tif 000006
【図２】
2016533523.tif 000007
【図３】
2016533523.tif 000008
【図４】
2016533523.tif 000009
【図５】
2016533523.tif 000010
【図６】
2016533523.tif 000011
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間に屈折光学素子を挿間することを含み、挿間される前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第２の物体距離が前記第１の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
方法。
【請求項２】
前記第１の撮像構成が虹彩撮像のために最適化されている、請求項１に記載の方法。
【請求項３】
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間から屈折光学素子を外すことを含み、外される前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第１の物体距離が前記第２の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
方法。
【請求項４】
前記屈折光学素子の幅及び屈折率が、前記光学アセンブリの前記像側主平面及び像側焦点面が前記変位距離だけ前記撮像面の方向に変位するように選択されている、請求項１又は３のいずれか一項に記載の方法。
【請求項５】
前記第１の撮像構成と前記第２の撮像構成のうち一方が虹彩撮像のために最適化されている、請求項１又は３のいずれか一項に記載の方法。
【請求項６】
前記屈折光学素子が平面平行素子であるか、或いは
前記屈折光学素子が平面平行光学フィルタである、
請求項５に記載の方法。
【請求項７】
前記屈折光学素子が平面平行光学フィルタであり、
前記第１の撮像構成が虹彩撮像のために最適化されているときに前記平面平行光学フィルタが赤外透過フィルタであるか、或いは、
前記第２の撮像構成が虹彩撮像のために最適化されているときに前記平面平行光学フィルタが赤外カットフィルタである、
請求項５に記載の方法。
【請求項８】
前記光学アセンブリが固定焦点光学アセンブリである、請求項１又は３のいずれか一項に記載の方法。
【請求項９】
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
請求項１又は３のいずれか一項に記載の方法。
【請求項１０】
第１の撮像構成から第２の撮像構成に切り替わるように構成された撮像装置であって、
撮像面を備える画像センサと、
像側の面と、物体側の面とを含む光学アセンブリであり、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成し、
前記第２の物体距離が前記第１の物体距離よりも大きくなるように、
前記画像センサの撮像面に物体面を像形成するように構成された光学アセンブリと、
前記第１の撮像構成から前記第２の撮像構成に切り替えるために、前記光学アセンブリの前記像側の面と前記画像センサとの間に挿入されるように構成された屈折光学素子と、
を備え、それにより、前記挿入される屈折光学素子が、
（ｉ）前記撮像面の方向へ、所定の変位距離だけ、前記光学アセンブリの像側主平面を変位させ、
（ｉｉ）前記撮像面の方向へ、前記変位距離だけ、前記光学アセンブリの像側焦点面を変位させ、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
撮像装置。
【請求項１１】
前記屈折光学素子が、前記光学アセンブリの前記像側の面と前記撮像面との間から外されて前記第１の撮像構成を実現するように構成されている、請求項１０に記載の撮像装置。
【請求項１２】
前記屈折光学素子の幅及び屈折率が、前記光学アセンブリの前記像側主平面及び像側焦点面が前記変位距離だけ前記撮像面の方向に変位するように選択されている、請求項１１に記載の撮像装置。
【請求項１３】
前記第１の撮像構成と前記第２の撮像構成のうち一方が虹彩撮像のために最適化されている、請求項１１に記載の撮像装置。
【請求項１４】
前記屈折光学素子が平面平行素子であるか、或いは、
前記屈折光学素子が平面平行光学フィルタである、
請求項１３に記載の撮像装置。
【請求項１５】
前記屈折光学素子が平面平行光学フィルタであり、
前記第１の撮像構成が虹彩撮像のために最適化されているときに前記平面平行光学フィルタが赤外透過フィルタであるか、或いは
前記第２の撮像構成が虹彩撮像のために最適化されているときに前記平面平行光学フィルタが赤外カットフィルタである、
請求項１３に記載の方法。
【請求項１６】
前記光学アセンブリが固定焦点光学アセンブリである、請求項１０に記載の撮像装置。
【請求項１７】
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
請求項１０に記載の撮像装置。
【手続補正２】
【補正対象書類名】明細書
【補正対象項目名】００６２
【補正方法】変更
【補正の内容】
【００６２】
本発明の例示的な実施形態を本明細書で説明して図示してきたが、それらが例示にすぎないことを理解されたい。添付の特許請求の範囲によって定義される本発明の精神及び範囲から逸脱することなく、又はそれに反することなく、形態及び詳細の様々な修正を行うこともできることを当業者は理解されよう。
［発明の項目］
［項目１］
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間に屈折光学素子を挿間することを含み、挿間される前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第２の物体距離が前記第１の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
方法。
［項目２］
前記屈折光学素子の幅及び屈折率が、前記光学アセンブリの前記像側主平面及び像側焦点面が前記変位距離だけ前記撮像面の方向に変位するように選択されている、項目１に記載の方法。
［項目３］
前記第１の撮像構成と前記第２の撮像構成のうち一方が虹彩撮像のために最適化されている、項目１に記載の方法。
［項目４］
前記第１の撮像構成が虹彩撮像のために最適化されている、項目３に記載の方法。
［項目５］
前記屈折光学素子が平面平行素子である、項目３に記載の方法。
［項目６］
前記平面平行素子が光学フィルタである、項目５に記載の方法。
［項目７］
前記第１の撮像構成が虹彩撮像のために最適化されているときには、前記光学フィルタが赤外透過フィルタである、項目６に記載の方法。
［項目８］
前記第２の撮像構成が虹彩撮像のために最適化されているときには、前記光学フィルタが赤外カットフィルタである、項目６に記載の方法。
［項目９］
前記光学アセンブリが固定焦点光学アセンブリである、項目１に記載の方法。
［項目１０］
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
項目１に記載の方法。
［項目１１］
前記光学アセンブリの焦点距離、及び
前記撮像面と前記光学アセンブリの像側の面との間の距離
が、前記第１の撮像構成と前記第２の撮像構成の両方で一定である、
項目１に記載の方法。
［項目１２］
画像センサと、光学アセンブリとを備える撮像装置を構成するための方法であって、前記光学アセンブリが、像側の面と、物体側の面とを含み、前記画像センサの撮像面に物体面を像形成するように構成されており、当該方法は、
前記撮像装置の第１の撮像構成を修正して、前記撮像装置の第２の撮像構成を実現するステップを含み、前記第１の撮像構成を修正する前記ステップが、前記光学アセンブリの前記像側の面と前記撮像面との間から屈折光学素子を取り外すことを含み、挿間されていた前記屈折光学素子が、
（ｉ）前記撮像面の方向へ、ある変位距離だけ、前記光学アセンブリの像側主平面を変位させ、
（ｉｉ）前記撮像面の方向へ、ある変位距離だけ、前記光学アセンブリの像側焦点面を変位させる
ように構成され、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成して、前記第１の物体距離が前記第２の物体距離よりも大きくなっており、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像距離との間の距離である、
方法。
［項目１３］
前記屈折光学素子の幅及び屈折率が、前記光学アセンブリの前記像側主平面及び像側焦点面が前記変位距離だけ前記画像センサの方向に変位するように選択されている、項目１２に記載の方法。
［項目１４］
前記第１の撮像構成と前記第２の撮像構成のうち一方が虹彩撮像のために最適化されている、項目１２に記載の方法。
［項目１５］
前記第２の撮像構成が虹彩撮像のために最適化されている、項目１４に記載の方法。
［項目１６］
前記屈折光学素子が平面平行素子である、項目１４に記載の方法。
［項目１７］
前記平面平行素子が光学フィルタである、項目１６に記載の方法。
［項目１８］
前記第１の撮像構成が虹彩撮像のために最適化されているときには、前記光学フィルタが赤外透過フィルタである、項目１６に記載の方法。
［項目１９］
前記第２の撮像構成が虹彩撮像のために最適化されているときには、前記光学フィルタが赤外カットフィルタである、項目１６に記載の方法。
［項目２０］
前記光学アセンブリが固定焦点光学アセンブリである、項目１２に記載の方法。
［項目２１］
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
項目１２に記載の方法。
［項目２２］
前記光学アセンブリの焦点距離、及び
前記撮像面と前記光学アセンブリの前記像側の面との間の距離
が、前記第１の撮像構成と前記第２の撮像構成の両方で一定である、
項目１２に記載の方法。
［項目２３］
第１の撮像構成から第２の撮像構成に切り替わるように構成された撮像装置であって、
撮像面を備える画像センサと、
像側の面と、物体側の面とを含む光学アセンブリであり、
前記第１の撮像構成で、前記光学アセンブリが、前記光学アセンブリの前記物体側の面から離れた第１の物体距離に位置された第１の物体面に位置決めされた物体の合焦像を前記撮像面に像形成し、
前記第２の撮像構成で、前記光学アセンブリが、前記光学アセンブリの前記物体側の面から離れた第２の物体距離に位置された第２の物体面に位置決めされた物体の合焦像を前記撮像面に像形成し、
前記第２の物体距離が前記第１の物体距離よりも大きくなるように、
前記画像センサの撮像面に物体面を像形成するように構成された光学アセンブリと、
前記第１の撮像構成から前記第２の撮像構成に切り替えるために、前記光学アセンブリの前記像側の面と前記画像センサとの間に挿入されるように構成された屈折光学素子と、
を備え、それにより、前記挿入される屈折光学素子が、
（ｉ）前記撮像面の方向へ、所定の変位距離だけ、前記光学アセンブリの像側主平面を変位させ、
（ｉｉ）前記画像センサの方向へ、前記変位距離だけ、前記光学アセンブリの像側焦点面を変位させ、
前記変位距離が、前記光学アセンブリが前記第１の物体面に位置決めされた物体の合焦像を像形成する第１の像面と、前記光学アセンブリが前記第２の物体面に位置決めされた物体の合焦像を像形成する第２の像面との間の距離である、
撮像装置。
［項目２４］
前記屈折光学素子が、前記光学アセンブリの前記像側の面と前記撮像面との間から外されて前記第１の撮像構成を実現するように構成されている、項目２３に記載の撮像装置。
［項目２５］
前記屈折光学素子の幅及び屈折率が、前記光学アセンブリの前記像側主平面及び像側焦点面が前記変位距離だけ前記撮像面の方向に変位するように選択されている、項目２４に記載の撮像装置。
［項目２６］
前記第１の撮像構成と前記第２の撮像構成のうち一方が虹彩撮像のために最適化されている、項目２４に記載の撮像装置。
［項目２７］
前記第１の撮像構成が虹彩撮像のために最適化されている、項目２６に記載の撮像装置。
［項目２８］
前記屈折光学素子が平面平行素子である、項目２６に記載の撮像装置。
［項目２９］
前記平面平行素子が光学フィルタである、項目２８に記載の方法。
［項目３０］
前記第１の撮像構成が虹彩撮像のために最適化されているとき、前記光学フィルタが赤外透過フィルタである、項目２９に記載の方法。
［項目３１］
前記第２の撮像構成が虹彩撮像のために最適化されているとき、前記光学フィルタが赤外カットフィルタである、項目２９に記載の方法。
［項目３２］
前記光学アセンブリが固定焦点光学アセンブリである、項目２３に記載の撮像装置。
［項目３３］
前記光学アセンブリの焦点距離、及び
前記撮像面と前記光学アセンブリの前記像側の面との間の距離
のうち少なくとも一方が、前記第１の撮像構成と前記第２の撮像構成の両方で一定である、
項目２３に記載の撮像装置。
［項目３４］
前記光学アセンブリの焦点距離、及び
前記撮像面と前記光学アセンブリの前記像側の面との間の距離
が、前記第１の撮像構成と前記第２の撮像構成の両方で一定である、
項目２３に記載の撮像装置。
【国際調査報告】
2016533523.tif 000012